(57)【特許請求の範囲】
【請求項１】
背面に設置された光源により照明されることで情報を表示する情報表示パネル用の積層シートであって、
光透過性を有する支持体と、
前記支持体の光源側の面のうち、第１の領域に積層された第１の反射層と、
前記支持体の光源と逆側の面のうち、前記支持体の厚さ方向から見て前記第１の領域に隣接する第２の領域に積層された第２の反射層と、
前記支持体の前記光源と逆側の面のうち、前記支持体の厚さ方向から見て前記第１の領域に隣接し、かつ第２の領域と離隔した第３の領域に積層され、開口部を有する第３の反射層と、
前記支持体の光源側の面のうち、前記第３の反射層の開口部に相当する領域に積層された第４の反射層と、
前記第１の反射層及び前記第４の反射層の前記光源側の面に積層された第１の遮光層と、
前記支持体の光源側の面のうち、前記第１の反射層及び第４の反射層が設けられていない面に積層された光透過性着色層と、
前記第２の反射層の前記光源と逆側の面に積層された第１の加飾層と、
前記第３の反射層の前記光源と逆側の面に積層され、前記第３の反射層と同位置の開口部を有する第２の遮光層と、
前記支持体の前記光源と逆側の面のうち前記第３の反射層の開口部に相当する面、及び前記第２の遮光層の前記光源と逆側の面に積層され、第３の領域全域に亘る第２の加飾層とを有する、
ことを特徴とする積層シート。
【請求項２】
背面に設置された光源により照明されることで情報を表示する情報表示パネル用の積層シートであって、
光透過性を有する支持体と、
前記支持体の光源側の面のうち、第１の領域に積層された第１の反射層と、
前記支持体の光源と逆側の面のうち、前記支持体の厚さ方向から見て前記第１の領域に隣接する第２の領域に積層された第２の反射層と、
前記支持体の前記光源と逆側の面のうち、前記支持体の厚さ方向から見て前記第１の領域に隣接し、かつ第２の領域と離隔した第３の領域に積層され、開口部を有する第３の反射層と、
前記支持体の光源側の面のうち、前記第３の反射層の開口部に相当する領域に積層された第４の反射層と、
前記支持体の前記光源側の面のうち前記第１の反射層及び第４の反射層が設けられていない面、並びに前記第１の反射層及び第４の反射層の前記光源側の面に積層され、全域に亘る光透過性着色層と、
前記光透過性着色層の前記光源側の面のうち、第１の反射層及び第４の反射層と同じ領域に設けられた第１の遮光層と、
前記第２の反射層の前記光源と逆側の面に積層された第１の加飾層と、
前記第３の反射層の前記光源と逆側の面に積層され、前記第３の反射層と同位置の開口部を有する第２の遮光層と、
前記支持体の前記光源と逆側の面のうち前記第３の反射層の開口部に相当する面、及び前記第２の遮光層の前記光源と逆側の面に積層され、第１の領域全域に亘る第２の加飾層とを有する、
ことを特徴とする積層シート。
【請求項３】
背面に設置された光源により照明されることで情報を表示する情報表示パネル用の積層シートであって、
光透過性を有する支持体と、
前記支持体の光源側の面のうち、第１の領域に積層された第１の反射層と、
前記支持体の光源と逆側の面のうち、前記支持体の厚さ方向から見て前記第１の領域に隣接する第２の領域に積層された第２の反射層と、
前記支持体の前記光源と逆側の面のうち、前記支持体の厚さ方向から見て前記第１の領域に隣接し、かつ第２の領域と離隔した第３の領域に積層された第３の反射層と、
前記第１の反射層の前記光源側の面に積層された第１の遮光層と、
前記支持体の光源側の面のうち、前記第１の反射層が設けられていない面に積層された光透過性着色層と、
前記第２の反射層の前記光源と逆側の面に積層された第１の加飾層と、
前記第３の反射層の前記光源と逆側の面に積層された第２の加飾層と、
前記第２の加飾層の前記光源と逆側の面に積層され、開口部を有する第２の遮光層とを有し、
前記第１の領域の最も広い部分の幅をｗ１とし、前記第２の領域の最も狭い部分の幅をｗ２とした時に、以下の式（１）が成り立つことを特徴とする積層シート。
ｗ２/ｗ１≧０．１５・・・（１）
【請求項４】
背面に設置された光源により照明されることで情報を表示する情報表示パネル用の積層シートであって、
光透過性を有する支持体と、
前記支持体の光源側の面のうち、第１の領域に積層された第１の反射層と、
前記支持体の光源と逆側の面のうち、前記支持体の厚さ方向から見て前記第１の領域に隣接する第２の領域に積層された第２の反射層と、
前記支持体の前記光源と逆側の面のうち、前記支持体の厚さ方向から見て前記第１の領域に隣接し、かつ第２の領域と離隔した第３の領域に積層された第３の反射層と、
前記支持体の前記光源側の面のうち前記第１の反射層が設けられていない面、及び前記第１の反射層の前記光源側の面に積層され、全域に亘る光透過性着色層と、
前記光透過性着色層の前記光源側の面のうち、第１の反射層と同じ領域に設けられた第１の遮光層と、
前記第２の反射層の前記光源と逆側の面に積層された第１の加飾層と、
前記第３の反射層の前記光源と逆側の面に積層された第２の加飾層と、
前記第２の加飾層の前記光源と逆側の面に積層され、開口部を有する第２の遮光層とを有し、
前記第１の領域の最も広い部分の幅をｗ１とし、前記第２の領域の最も狭い部分の幅をｗ２とした時に、以下の式（１）が成り立つことを特徴とする積層シート。
ｗ２/ｗ１≧０．１５・・・（１）
【請求項５】
前記第１の領域の最も広い部分の幅をｗ１とし、前記第２の領域の最も狭い部分の幅をｗ２とした時に、以下の式（１）が成り立つことを特徴とする請求項１または２記載の積層シート。
ｗ２/ｗ１≧０．１５・・・（１）
【請求項６】
前記第３の領域の最も狭い部分の幅をｗ３、前記第２の遮光層の開口率をｐとした時に、前記第１の領域の最も広い部分の幅ｗ１との関係が以下の式（２）のように成ることを特徴とする請求項１、２、５のいずれかに記載の積層シート。
【数１】
0005600988.tif 000022
【請求項７】
前記第３の領域の最も狭い部分の幅をｗ３とした時に、前記第１の領域の最も広い部分の幅ｗ１との関係が以下の式（３）のように成ることを特徴とする請求項３または４のいずれかに記載の積層シート。
ｗ３/ｗ１≧０．１５・・・（３）
【請求項８】
前記支持体の厚さｄと前記第３の領域の最も狭い部分の幅ｗ３及び前記第２の遮光層の開口率ｐとの関係が以下の式（５）のように成ることを特徴とする請求項１、２、５、６のいずれかに記載の積層シート。
【数２】
0005600988.tif 000023
【請求項９】
前記支持体の厚さｄと前記第３の領域の最も狭い部分の幅ｗ３との関係が以下の式（６）のように成ることを特徴とする請求項３、４、７のいずれかに記載の積層シート。
ｄ×ｗ３≧５．００ｍｍ２・・・（６）
【請求項１０】
前記支持体の厚さをｄとした時に、前記第２の領域の最も狭い部分の幅ｗ２との関係が以下の式（４）のように成ることを特徴とする請求項１乃至９のいずれかに記載の積層シート。
ｄ×ｗ２≧１．００ｍｍ２・・・（４）
【請求項１１】
前記支持体の厚さが０．１ｍｍから５ｍｍまでの範囲であることを特徴とする請求項１乃至１０のいずれかに記載の積層シート。
【請求項１２】
前記支持体の前記光源と逆側の面のうち、前記第２の遮光層の開口部に対応する位置に透明加飾層が積層され、前記透明加飾層の全光線透過率が８０％以上であることを特徴とする請求項１乃至１１のいずれかに記載の積層シート。
【請求項１３】
前記第２の加飾層は全光線透過率が４％以上４０％以下であることを特徴とする請求項１乃至１２のいずれかに記載の積層シート。
【請求項１４】
前記第１の加飾層の全光線透過率が２０％以下であることを特徴とする請求項１乃至１３のいずれかに記載の積層シート。
【請求項１５】
前記第２の遮光層の全光線透過率が２０％以下であることを特徴とする請求項１乃至１４のいずれかに記載の積層シート。
【請求項１６】
前記第２の遮光層の全光線透過率が２０％以下であることを特徴とする請求項１乃至１５のいずれかに記載の積層シート。
【請求項１７】
前記第２の反射層における３８０〜７８０ｎｍの光線の反射率が６０％以上であり、前記第２の反射層の全光線透過率が５％以上４０％以下であることを特徴とする請求項１乃至１６のいずれかに記載の積層シート。
【請求項１８】
前記第３の反射層における３８０〜７８０ｎｍの光線の反射率が６０％以上であり、前記第３の反射層の全光線透過率が５％以上４０％以下であることを特徴とする請求項１乃至１７のいずれかに記載の積層シート。
【請求項１９】
前記第１の反射層における３８０〜７８０ｎｍの光線の反射率が２０％以上であることを特徴とする請求項１乃至１８のいずれかに記載の積層シート。
【請求項２０】
前記第４の反射層における３８０〜７８０ｎｍの光線の反射率が２０％以上であることを特徴とする請求項１、２、５、６、８のいずれかに記載の積層シート。
【請求項２１】
前記第１の加飾層において文字等意匠形状の開口部が設けられていることを特徴とする請求項１乃至２０のいずれかに記載の積層シート。
【請求項２２】
前記第２の反射層において文字等意匠形状の開口部が設けられていることを特徴とする請求項２１に記載の積層シート。
【請求項２３】
前記光透過性着色層において、前記第１の加飾層の前記文字等意匠形状の開口部の外周から０．０５０ｍｍ以上外側に外周を有する開口部を有し、前記光透過性着色層の開口部の外周が前記第２の領域と前記第１の領域との境界から１．０００ｍｍ以上離れていることを特徴とする請求項２１又は２２に記載の積層シート。
【請求項２４】
前記光透過性着色層は全光線透過率が２０％以上の有彩色の層であることを特徴とする請求項１乃至２３のいずれかに記載の積層シート。
【請求項２５】
前記支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至２４のいずれかに記載の積層シート。
【請求項２６】
前記支持体はヘイズ値が１２％以上の樹脂であることを特徴とする請求項１乃至２４のいずれかに記載の積層シート。
【請求項２７】
前記支持体は光透過層と光拡散層を含み、前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上の樹脂であることを特徴とする請求項１乃至２４のいずれかに記載の積層シート。
【請求項２８】
前記支持体の前記光源と逆側の面のうち前記第１の領域にヘイズ値５％以上、全光線透過率６０％以上９８％以下の第１の拡散層が設けられていることを特徴とする請求項１乃至２７のいずれかに記載の積層シート。
【請求項２９】
前記第２の領域の前記支持体と前記第２の反射層の間及び前記第３の領域の前記支持体と前記第３の反射層の間にヘイズ値５％以上、全光線透過率６０％以上の第２の拡散層が設けられていることを特徴とする請求項１乃至２８のいずれかに記載の積層シート。
【請求項３０】
前記支持体の前記光源と逆側の第１の領域に全光線透過率が２０％以下の第４の加飾層が積層されていることを特徴とする請求項１乃至２９のいずれかに記載の積層シート。
【請求項３１】
光源と、請求項１乃至３０のいずれかに記載の積層シートを少なくとも含む情報表示パネル。
【請求項３２】
前記光源がエッジライト式光源と導光板からなる面光源であることを特徴とする請求項３１記載の情報表示パネル。
【請求項３３】
前記光源がＬＥＤ光源であることを特徴とする請求項３１に記載の情報表示パネル。
【請求項３４】
請求項３１乃至３３のいずれかに記載の情報表示パネルを具備した情報表示機器。
【発明の詳細な説明】
【技術分野】
【０００１】
本発明は、表裏の印刷層を備える情報表示パネル用積層シートに関し、特に遮光層および反射層を備えた情報表示パネル用積層シート、及び情報表示パネル、及び情報表示機器に関する。
【背景技術】
【０００２】
従来の情報表示パネルとして、透明基板の背面の文字・絵柄に対応する部分に開口部を含む有彩色の遮光反射層と白色の透過性反射層が順に積層され、表面には白色層と暗色層が順に積層され、文字・絵柄に対応する部分が開口部となっている構成を有するものがある。
【０００３】
上記の情報表示パネルの構成を用いることで、ランプ非点灯時は、外光により、文字・絵柄部分が有彩色で囲まれた白色で視認され、文字・絵柄の周囲は暗色で視認される。また、ランプ点灯時は白色の透過反射層を透過し、有彩色の遮光反射層の開口部を抜けた白色の光が視認されるとともに、裏面から入射し、表面の白色層で反射した光が裏面の有彩色の遮光反射層で再度反射されて表面の開口部から抜けて有彩色の間接光状に視認される（特許文献１）。
【先行技術文献】
【特許文献】
【０００４】
【特許文献１】実開平４−１２０９９０号
【発明の概要】
【発明が解決しようとする課題】
【０００５】
しかしながら、従来の技術ではランプ点灯時に有彩の間接光と白色の直接光で文字・絵柄の立体感を表現するものの、ランプ非点灯に外光により観察する場合と色は変わらず、ランプ点灯、非点灯で色変化をつけて表現することができなかった。
本発明は光源の点灯により、文字・絵柄等の外周部から漏れる間接光を観察者が視認することで文字・絵柄等に立体感を生じさせるとともに、光源の非点灯時との色変化をつけて文字・絵柄を美しく表現することを課題とする。 
【課題を解決するための手段】
【０００６】
本発明は、上記課題を解決するために次のような構成を備えている。
請求項１に記載の発明は、背面に設置された光源により照明されることで情報を表示する情報表示パネル用の積層シートであって、光透過性を有する支持体と、前記支持体の光源側の面のうち、第１の領域に積層された第１の反射層と、前記支持体の光源と逆側の面のうち、前記支持体の厚さ方向から見て前記第１の領域に隣接する第２の領域に積層された第２の反射層と、前記支持体の前記光源と逆側の面のうち、前記支持体の厚さ方向から見て前記第１の領域に隣接し、かつ第２の領域と離隔した第３の領域に積層され、開口部を有する第３の反射層と、前記支持体の光源側の面のうち、前記第３の反射層の開口部に相当する領域に積層された第４の反射層と、前記第１の反射層及び前記第４の反射層の前記光源側の面に積層された第１の遮光層と、前記支持体の光源側の面のうち、前記第１の反射層及び第４の反射層が設けられていない面に積層された光透過性着色層と、前記第２の反射層の前記光源と逆側の面に積層された第１の加飾層と、前記第３の反射層の前記光源と逆側の面に積層され、前記第３の反射層と同位置の開口部を有する第２の遮光層と、前記支持体の前記光源と逆側の面のうち前記第３の反射層の開口部に相当する面、及び前記第２の遮光層の前記光源と逆側の面に積層され、第３の領域全域に亘る第２の加飾層とを有することを特徴とする積層シートである。
【０００７】
請求項２に記載の発明は、背面に設置された光源により照明されることで情報を表示する情報表示パネル用の積層シートであって、光透過性を有する支持体と、前記支持体の光源側の面のうち、第１の領域に積層された第１の反射層と、前記支持体の光源と逆側の面のうち、前記支持体の厚さ方向から見て前記第１の領域に隣接する第２の領域に積層された第２の反射層と、前記支持体の前記光源と逆側の面のうち、前記支持体の厚さ方向から見て前記第１の領域に隣接し、かつ第２の領域と離隔した第３の領域に積層され、開口部を有する第３の反射層と、前記支持体の光源側の面のうち、前記第３の反射層の開口部に相当する領域に積層された第４の反射層と、前記支持体の前記光源側の面のうち前記第１の反射層及び第４の反射層が設けられていない面、並びに前記第１の反射層及び第４の反射層の前記光源側の面に積層され、全域に亘る光透過性着色層と、前記光透過性着色層の前記光源側の面のうち、第１の反射層及び第４の反射層と同じ領域に設けられた第１の遮光層と、前記第２の反射層の前記光源と逆側の面に積層された第１の加飾層と、前記第３の反射層の前記光源と逆側の面に積層され、前記第３の反射層と同位置の開口部を有する第２の遮光層と、前記支持体の前記光源と逆側の面のうち前記第３の反射層の開口部に相当する面、及び前記第２の遮光層の前記光源と逆側の面に積層され、第１の領域全域に亘る第２の加飾層とを有することを特徴とする積層シートである。
【０００８】
請求項３に記載の発明は、背面に設置された光源により照明されることで情報を表示する情報表示パネル用の積層シートであって、光透過性を有する支持体と、前記支持体の光源側の面のうち、第１の領域に積層された第１の反射層と、前記支持体の光源と逆側の面のうち、前記支持体の厚さ方向から見て前記第１の領域に隣接する第２の領域に積層された第２の反射層と、前記支持体の前記光源と逆側の面のうち、前記支持体の厚さ方向から見て前記第１の領域に隣接し、かつ第２の領域と離隔した第３の領域に積層された第３の反射層と、前記第１の反射層の前記光源側の面に積層された第１の遮光層と、前記支持体の光源側の面のうち、前記第１の反射層が設けられていない面に積層された光透過性着色層と、前記第２の反射層の前記光源と逆側の面に積層された第１の加飾層と、前記第３の反射層の前記光源と逆側の面に積層された第２の加飾層と、前記第２の加飾層の前記光源と逆側の面に積層され、開口部を有する第２の遮光層とを有し、前記第１の領域の最も広い部分の幅をｗ１とし、前記第２の領域の最も狭い部分の幅をｗ２とした時に、以下の式（１）が成り立つことを特徴とする積層シートである。
ｗ２/ｗ１≧０．１５・・・（１）
【０００９】
請求項４に記載の発明は、背面に設置された光源により照明されることで情報を表示する情報表示パネル用の積層シートであって、光透過性を有する支持体と、前記支持体の光源側の面のうち、第１の領域に積層された第１の反射層と、前記支持体の光源と逆側の面のうち、前記支持体の厚さ方向から見て前記第１の領域に隣接する第２の領域に積層された第２の反射層と、前記支持体の前記光源と逆側の面のうち、前記支持体の厚さ方向から見て前記第１の領域に隣接し、かつ第２の領域と離隔した第３の領域に積層された第３の反射層と、前記支持体の前記光源側の面のうち前記第１の反射層が設けられていない面、及び前記第１の反射層の前記光源側の面に積層され、全域に亘る光透過性着色層と、前記光透過性着色層の前記光源側の面のうち、第１の反射層と同じ領域に設けられた第１の遮光層と、前記第２の反射層の前記光源と逆側の面に積層された第１の加飾層と、前記第３の反射層の前記光源と逆側の面に積層された第２の加飾層と、前記第２の加飾層の前記光源と逆側の面に積層され、開口部を有する第２の遮光層とを有し、前記第１の領域の最も広い部分の幅をｗ１とし、前記第２の領域の最も狭い部分の幅をｗ２とした時に、以下の式（１）が成り立つことを特徴とする積層シートである。
ｗ２/ｗ１≧０．１５・・・（１）
【００１０】
請求項５に記載の発明は、前記第１の領域の最も広い部分の幅をｗ１とし、前記第２の領域の最も狭い部分の幅をｗ２とした時に、以下の式（１）が成り立つことを特徴とする請求項１または２記載の積層シートである。
ｗ２/ｗ１≧０．１５・・・（１）
【００１１】
請求項６に記載の発明は、前記第３の領域の最も狭い部分の幅をｗ３、前記第２の遮光層の開口率をｐとした時に、前記第１の領域の最も広い部分の幅ｗ１との関係が以下の式（２）のように成ることを特徴とする請求項１、２、５のいずれかに記載の積層シートである。
【００１２】
【数１】
0005600988.tif 000002
【００１３】
請求項７に記載の発明は、前記第３の領域の最も狭い部分の幅をｗ３とした時に、前記第１の領域の最も広い部分の幅ｗ１との関係が以下の式（３）のように成ることを特徴とする請求項３または４に記載の積層シートである。
ｗ３/ｗ１≧０．１５・・・（３）
【００１４】
請求項８に記載の発明は、前記支持体の厚さｄと前記第３の領域の最も狭い部分の幅ｗ３及び前記第２の遮光層の開口率ｐとの関係が以下の式（５）のように成ることを特徴とする請求項１、２、５、６のいずれかに記載の積層シートである。
【００１５】
【数２】
0005600988.tif 000003
【００１６】
請求項９に記載の発明は、前記支持体の厚さｄと前記第３の領域の最も狭い部分の幅ｗ３との関係が以下の式（６）のように成ることを特徴とする請求項３、４、７のいずれかに記載の積層シートである。
ｄ×ｗ３≧５．００ｍｍ２・・・（６）
【００１７】
請求項１０に記載の発明は、前記支持体の厚さをｄとした時に、前記第２の領域の最も狭い部分の幅ｗ２との関係が以下の式（４）のように成ることを特徴とする請求項１乃至９のいずれかに記載の積層シートである。
ｄ×ｗ２≧１．００ｍｍ２・・・（４）
【００１８】
請求項１１に記載の発明は、前記支持体の厚さが０．１ｍｍから５ｍｍまでの範囲であることを特徴とする請求項１乃至１０のいずれかに記載の積層シートである。
【００１９】
請求項１２に記載の発明は、前記支持体の前記光源と逆側の面のうち、前記第２の遮光層の開口部に対応する位置に透明加飾層が積層され、前記透明加飾層の全光線透過率が８０％以上であることを特徴とする請求項１乃至１１のいずれかに記載の積層シートである。
【００２０】
請求項１３に記載の発明は、前記第２の加飾層は全光線透過率が４％以上４０％以下であることを特徴とする請求項１乃至１２のいずれかに記載の積層シートである。
【００２１】
請求項１４に記載の発明は、前記第１の加飾層の全光線透過率が２０％以下であることを特徴とする請求項１乃至１３のいずれかに記載の積層シートである。
【００２２】
請求項１５に記載の発明は、前記第２の遮光層の全光線透過率が２０％以下であることを特徴とする請求項１乃至１４のいずれかに記載の積層シートである。
【００２３】
請求項１６に記載の発明は、前記第２の遮光層の全光線透過率が２０％以下であることを特徴とする請求項１乃至１５のいずれかに記載の積層シートである。
【００２４】
請求項１７に記載の発明は、前記第２の反射層における３８０〜７８０ｎｍの光線の反射率が６０％以上であり、前記第２の反射層の全光線透過率が５％以上４０％以下であることを特徴とする請求項１乃至１６にのいずれかに記載の積層シートである。
【００２５】
請求項１８に記載の発明は、前記第３の反射層における３８０〜７８０ｎｍの光線の反射率が６０％以上であり、前記第３の反射層の全光線透過率が５％以上４０％以下であることを特徴とする請求項１乃至１７のいずれかに記載の積層シートである。
【００２６】
請求項１９に記載の発明は、前記第１の反射層における３８０〜７８０ｎｍの光線の反射率が２０％以上であることを特徴とする請求項１乃至１８のいずれかに記載の積層シートである。
【００２７】
請求項２０に記載の発明は、前記第４の反射層における３８０〜７８０ｎｍの光線の反射率が２０％以上であることを特徴とする請求項１、２、５、６、８のいずれかに記載の積層シートである。
【００２８】
請求項２１に記載の発明は、前記第１の加飾層において文字等意匠形状の開口部が設けられていることを特徴とする請求項１乃至２０のいずれかに記載の積層シートである。
【００２９】
請求項２２に記載の発明は、前記第２の反射層において文字等意匠形状の開口部が設けられていることを特徴とする請求項２１に記載の積層シートである。
【００３０】
請求項２３に記載の発明は、前記光透過性着色層において、前記第１の加飾層の前記文字等意匠形状の開口部の外周から０．０５０ｍｍ以上外側に外周を有する開口部を有し、前記光透過性着色層の開口部の外周が前記第２の領域と前記第１の領域との境界から１．０００ｍｍ以上離れていることを特徴とする請求項２１又は２２に記載の積層シートである。
【００３１】
請求項２４に記載の発明は、前記光透過性着色層は全光線透過率が２０％以上の有彩色の層であることを特徴とする請求項１乃至２３のいずれかに記載の積層シートである。
【００３２】
請求項２５に記載の発明は、前記支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至２４のいずれかに記載の積層シートである。
【００３３】
請求項２６に記載の発明は、前記支持体はヘイズ値が１２％以上の樹脂であることを特徴とする請求項１乃至２４のいずれかに記載の積層シートである。
【００３４】
請求項２７に記載の発明は、前記支持体は光透過層と光拡散層を含み、前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上の樹脂であることを特徴とする請求項１乃至２４のいずれかに記載の積層シートである。
【００３５】
請求項２８に記載の発明は、前記支持体の前記光源と逆側の面のうち前記第１の領域にヘイズ値５％以上、全光線透過率６０％以上９８％以下の第１の拡散層が設けられていることを特徴とする請求項１乃至２７のいずれかに記載の積層シートである。
【００３６】
請求項２９に記載の発明は、前記第２の領域の前記支持体と前記第２の反射層の間及び前記第３の領域の前記支持体と前記第３の反射層の間にヘイズ値５％以上、全光線透過率６０％以上の第２の拡散層が設けられていることを特徴とする請求項１乃至２８のいずれかに記載の積層シートである。
【００３７】
請求項３０に記載の発明は、前記支持体の前記光源と逆側の第１の領域に全光線透過率が２０％以下の第４の加飾層が積層されていることを特徴とする請求項１乃至２９のいずれかに記載の積層シートである。
【００３８】
請求項３１に記載の発明は、光源と、請求項１乃至３０のいずれかに記載の積層シートを少なくとも含む情報表示パネルである。
【００３９】
請求項３２に記載の発明は、前記光源がエッジライト式光源と導光板からなる面光源であることを特徴とする請求項３１記載の情報表示パネルである。
【００４０】
請求項３３に記載の発明は、前記光源がＬＥＤ光源であることを特徴とする請求項３１に記載の情報表示パネルである。
【００４１】
請求候３４に記載の発明は、請求項３１乃至３３のいずれかに記載の情報表示パネルを具備した情報表示機器である。
【発明の効果】
【００４２】
本発明は光源の射出光が反射層で拡散反射され、文字・絵柄等の外周部である第１の領域から間接光として観察者に視認されるため、文字・絵柄等に立体感を生じさせる効果がある。また、光源射出光が光透過性着色層を透過して、間接光として視認されるため、光源の点灯時と非点灯時とで色の変化をつけて文字・絵柄を美しく表現することができる効果がある。
【図面の簡単な説明】
【００４３】
【図１】本発明の第１の実施形態に係る積層シートの断面図である。
【図２】本発明の第２の実施形態に係る積層シートの断面図である。
【図３】本発明の第３の実施形態に係る積層シートの断面図である。
【図４】本発明の第４の実施形態に係る積層シートの断面図である。
【発明を実施するための形態】
【００４４】
以下に図面を参照して、本発明に係る情報表示パネルの好適な実施の形態について詳細に説明する。
図１は、本発明の第１の実施形態に係る情報表示パネル５用の積層シート４をシート延在方向に垂直な面で切った断面図である。（Ａ）は積層の順序をわかりやすくするために各層を分離してあらわしたものであり、（Ｂ）は実際に積層された状態を表したものである。
図１に示すように、積層シート４は、シートの厚さ方向からみて、第１の領域１と、第１の領域１に隣接し且つ互いに離れた、第２の領域２、第３の領域３に分かれている。
積層シート４の延在面上における第１乃至第３の領域の形状により絵柄等の意匠形状が構成されている。
なお、第２、第３の領域と離れた他の領域がさらに設けられていても構わない。その場合、第１の領域は、さらに設けた領域とも隣接する配置となる。
図１において、観察者７は光透過性の支持体８の一方の面側から目視し、光源６は支持体８の他方の面側に設置される。
【００４５】
支持体８の観察者６側の面のうち第１の領域１に、第１の拡散層３１、第４の加飾層１７が順に積層されている。
また、支持体８の観察者６側の面のうち第２の領域２に、第２の拡散層３２、第２の反射層１１、第２の加飾層１２が順に積層されている。
さらに、支持体８の観察者６側の面のうち第３の領域３に、第２の拡散層３２、第３の反射層１３、第２の遮光層１４、第２の加飾層１５、透明加飾層１６が順に積層されている。
支持体８の光源６側の面のうち第１の領域１に、第１の反射層２１、第１の遮光層２３、光透過性着色層２４が順に積層されている。
また、支持体８の光源６側の面のうち第２の領域２に、光透過性着色層２４が設けられている。
さらに、支持体８の光源６側の面のうち第３の領域３に、第４の反射層２２、第１の遮光層２３、光透過性着色層２４が順に積層されている。
【００４６】
支持体８は、透明樹脂のみで構成するか、又は拡散性樹脂のみで構成するか、又は透明樹脂層と拡散性樹脂層との積層によって構成することができる。
ここで、支持体４のヘイズ値は１２％以上９２％以下であることが望ましい。
支持体４のヘイズ値が１２％未満の場合、支持体４に入射して拡散反射して第１の領域１に抜ける光が減少するために、間接光の輝度が低下するという弊害があるからである。
【００４７】
支持体８を透明樹脂のみで構成する場合、ポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを利用することができる。この時の支持体８の厚さは第２の反射層１１及び第３の反射層１３で拡散反射された光を多く第１の領域１に進ませるために０．１ｍｍ以上が好ましく、情報表示機器筐体内の空間的制約を受けないために５ｍｍ以下が好ましい。また、透明樹脂のみで構成すると支持体８における光量の損失を少なく出来るため、光源６の点灯時により明るく文字・絵柄を表示することができる。
【００４８】
支持体８を拡散性樹脂のみで構成する場合、球形または無定形の形状であり有機又は無機からなる光拡散性微粒子を含んだポリカーボネート、ＰＳ、ＭＳ、アクリルのうち少なくともいずれかを含む有機系樹脂を利用することができる。この時の支持体８の厚さは第２の反射層１１及び第３の反射層１３で拡散反射された光を多く第１の領域１に進ませるために０．１ｍｍ以上が好ましく、情報表示機器筐体内の空間的制約を受けないために５ｍｍ以下が好ましい。また、拡散樹脂のみで構成することにより、光源６からの直接入射光の一部が拡散樹脂で拡散されて第２の反射層１１と第３の反射層１３及び第１の領域１に出るために間接光の光量を高められる。
【００４９】
支持体８を透明樹脂層と拡散性樹脂層との積層構成にする場合、透明樹脂層にはポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを、拡散性樹脂層には球形または無定形の形状であり有機又は無機からなる光拡散性微粒子を含んだポリカーボネート、ポリスチレン、メタクリルスチレン共重合体、アクリルのうち少なくともいずれかを含む有機系樹脂を利用することができる。この時の支持体８の厚さは第２の反射層１１及び第３の反射層１３で拡散反射された光を多く第１の領域１に進ませるために０．１ｍｍ以上が好ましく、情報表示機器筐体内の空間的制約を受けないために５ｍｍ以下が好ましい。また、拡散樹脂層を含む構成であることにより、光源６からの直接入射光の一部が拡散樹脂層で拡散されて第２の反射層１１と第３の反射層１３及び第１の領域１の観察者の方向に出るために間接光の光量を高められる。
ここで、拡散性樹脂層はヘイズ値が１２％以上９２％以下の樹脂であることが望ましい。拡散性樹脂層のヘイズ値が１２％未満の場合、支持体に入射して拡散反射して、第１の領域１に抜ける光が減少するために、間接光の輝度が低下するという弊害があるからである。
【００５０】
次に支持体８の観察者６側の積層構造について詳細に説明する。
支持体８の観察者６側の面のうち第１の領域に第１の拡散層３１が配置される。
第１の拡散層３１はスクリーン印刷によって設けることができる。特にスクリーン印刷に限定することなく、凸版印刷、フレキソ印刷、オフセット印刷、グラビア印刷、インクジェット等を用いることができる。
第１の拡散層３１には透明インキを用いるのが望ましいが、光の拡散効果、透過効果があれば透明インキに限らない。厚みに制限は無いが、５μｍ〜３０μｍにすると拡散効果が出やすい。
また、第１の拡散層３１のヘイズ値は５％以上、全光線透過率は６０％以上であることが望ましい。この数値範囲は、第１の拡散層３１のヘイズ値が５％未満の場合、第１の拡散層３１への入射光を第２の領域２、第３の領域３へ拡散反射する効果が十分に得られず、第１の拡散層３１の全光線透過率が６０％未満の場合、第１の領域１に通り抜ける光が減少するために輝度が低下するという弊害があるからである。
第１の拡散層３１は光源６の非点灯時に第１の領域１を観察した際における支持体８表面での反射光による眩しさを低減させる効果がある。同時に光透過性があるため光源６の点灯時の第１の領域１における間接光の視認を妨げない。
第１の拡散層３１は必ず設けなければならないわけではなく、前述の支持体８表面での反射光の低減及びデザイン上の必要性がなければ設ける必要はない。
【００５１】
第１の拡散層３１（第１の拡散層３１がない場合は支持体８）の観察者６側の面のうち第１の領域１の一部に第４の加飾層１７を設ける。
なお、図１（Ａ）において、積層の順序、種類をわかりやすくするため、加飾層１３を第１の加飾層と同じ段に表示しているが、実際は（Ｂ）のように拡散層３１の観察者６側の面に積層されている。
第４の加飾層１７はスクリーン印刷によって設けることができる。特にスクリーン印刷に限定することなく、凸版印刷、フレキソ印刷、オフセット印刷、グラビア印刷、インクジェット等を用いることができる。
第４の加飾層１７には黒色インキを用いるのが望ましいが、遮光効果があれば黒色インキに限らない。厚みに制限は無いが、５μｍ〜３０μｍにすると遮光効果が出やすい。
また、第４の加飾層１７の全光線透過率は２０％以下であることが望ましい。
第４の加飾層１７の全光線透過率が２０％より大きい場合に、第４の加飾層１７の透過光が視認され、第１の領域における第４の加飾層１７のない部分とのコントラストが低下し、第４の加飾層１７の視認性が低下するという弊害があるからである。
光源が点灯した際に第１の領域１には間接光が広がるが、第１の領域１の一部に第４の加飾層１７があるためにその部分は遮光され、絵柄として視認される。第４の加飾層１７はデザイン上必要があれば設けることができ、第４の加飾層１７が無くても情報表示パネル５における他の機能には影響がない。
【００５２】
支持体８の観察者６側の面のうち第２の領域２及び第３の領域３に第２の拡散層３２が配置される。
第２の拡散層３２はスクリーン印刷によって設けることができる。特にスクリーン印刷に限定することなく、凸版印刷、フレキソ印刷、オフセット印刷、グラビア印刷、インクジェット等を用いることができる。
第２の拡散層３２には透明インキを用いるのが望ましいが、光の拡散効果、透過効果があれば透明インキに限らない。厚みに制限は無いが、５μｍ〜３０μｍにすると拡散効果が出やすい。
第２の拡散層３２のヘイズ値は５％以上、全光線透過率は６０％以上９８％以下であることが望ましい。この数値範囲は、第２の拡散層３２のヘイズ値が５％未満の場合、第２の拡散層３２への入射光を第１の領域１へ拡散反射する効果が十分に得られず、第２の拡散層３２の全光線透過率が６０％未満の場合、第２の反射層１１、第３の反射層１３に入射する光量が低下することにより、第１の領域１への反射光の輝度が低下して立体感が損なわれることを考慮したものである。
第２の拡散層３２は光源６の点灯時に支持体８から入射した光の一部を拡散して第１の領域１に出射することにより、第１の領域１における間接光の輝度をあげて第１の領域１と第２の領域２の境界及び第１の領域１と第３の領域３の境界における立体感を向上させる効果がある。
第２の拡散層３２は必ず設けなければならないわけではなく、第１の領域１における輝度の向上が必要な場合に設けることができる。
【００５３】
第２の拡散層３２（第２の拡散層３２がない場合は支持体８）の観察者６側の面のうち第２の領域２に第２の反射層１１が配置される。
第２の反射層１１は入射した光が所定の確率で拡散反射する効果を有するものである。
第２の反射層１１はスクリーン印刷によって設けることができる。特にスクリーン印刷に限定することなく、凸版印刷、フレキソ印刷、オフセット印刷、グラビア印刷、インクジェット等を用いることができる。
第２の反射層１１には白色インキを用いるのが望ましいが、光の反射効果、透過効果があれば白色インキに限らない。厚みに制限は無いが、５μｍ〜３０μｍにすると反射効果が出やすい。
また、第２の反射層１１における３８０〜７８０ｎｍの光線の反射率は６０％以上であり、第２の反射層１１の全光線透過率は５％以上４０％以下であることが望ましい。
第２の反射層１１の反射率が６０％未満であった場合、第２の反射層１１で反射される間接光の輝度が低下し、第１の領域１と第２の領域２の境界における立体感が損なわれるからである。また、第２の反射層１１の全光線透過率が５％未満であると、第１の加飾層１２に文字等意匠形状の開口部が設けられた場合にその部分の輝度が低く、文字等意匠形状が視認されないからである。一方、全光線透過率が４０％以上であると反射率が低下して、前述のように間接光の輝度低下による第１の領域と第２の領域の境界における立体感の低下が起こるためである。
光源６が点灯した際には第２の反射層１１で反射した光が第１の領域１で間接光として視認される。この時、第２の領域２の第２の反射層１１の幅が広い方が第１の領域１に向けて拡散反射される光が多いために輝度が高くなり、第１の領域１と第２の領域２の境界における立体感が高まる。また、デザイン上第２の領域２に文字等意匠形状を設ける場合、第２の反射層１１または第２の反射層１１の開口部を透過した光が後述する第１の加飾層１２の開口部を抜けることにより、観察者から直接光として文字等意匠形状が視認される。
【００５４】
第２の反射層１１の観察者７側の面に第１の加飾層１２が積層される。第１の加飾層１２はスクリーン印刷によって設けることができる。特にスクリーン印刷に限定することなく、凸版印刷、フレキソ印刷、オフセット印刷、グラビア印刷、インクジェット等を用いることができる。第１の加飾層６には黒色インキを用いるのが望ましいが、遮光効果があれば黒色インキに限らない。厚みに制限は無いが、５μｍ〜３０μｍにすると遮光効果が出やすい。
また、第１の加飾層１２の全光線透過率は、２０％以下の範囲で略一定であることが望ましい。
全光線透過率が２０％より大きい場合、第２の領域２における第２の反射層１１の透過光を遮光できず、第１の領域１と第２の領域２との間のコントラストが低下し、立体感が損なわれるという弊害があるからである。
第１の加飾層１２は第２の領域２における絵柄を表すとともに、第２の反射層１１を透過する光源６の光を遮光する。また、第２の領域２に文字等意匠形状が設けられる場合、第１の加飾層１２に文字等意匠形状の開口部が設けられ、第２の反射層１１を透過した光が第１の加飾層１２の開口部を抜けることにより、観察者から文字等意匠形状が直接光として視認される。
【００５５】
第２の拡散層３２（第２の拡散層３２がない場合は支持体８）の観察者６側の面のうち第３の領域３に開口部を有する第３の反射層１３が配置される。
第３の反射層１３は入射した光が所定の確率で拡散反射する効果を有するものである。
第３の反射層１３はスクリーン印刷によって設けることができる。特にスクリーン印刷に限定することなく、凸版印刷、フレキソ印刷、オフセット印刷、グラビア印刷、インクジェット等を用いることができる。
第３の反射層１３には白色インキを用いるのが望ましいが、光の反射効果があれば白色インキに限らない。厚みに制限は無いが、５μｍ〜３０μｍにすると反射効果が出やすい。
また、第３の反射層１３における３８０〜７８０ｎｍの光線の反射率は６０％以上であることが望ましい。
第３の反射層１３の反射率が６０％未満であった場合、第３の反射層１３で反射される間接光の輝度が低下し、第１の領域１と第２の領域２の境界における立体感が損なわれるからである。
光源６が点灯した際には第３の反射層１３で反射した光が、支持体８の光源側の面のうち第１の領域に設けられた第１の反射層２１及び第３の領域３に設けられた第４の反射層２２に入射する。このうち第１の領域１のものは間接光として視認され、第３の領域３のものは第３の反射層１３と第２の遮光層１４の開口部を抜けて第２の加飾層１５と透明加飾層１６を透過して観察者に視認される。
この時、第３の反射層１３の開口部を除いた面積が大きい方が第３の反射層１３で反射されて第１の領域で間接光として観察される光が多く、第１の領域１と第３の領域３の境界における立体感が高まる。
【００５６】
第３の反射層１３の観察者７側の面に第２の遮光層１４が積層される。
第２の遮光層１４はスクリーン印刷によって設けることができる。特にスクリーン印刷に限定することなく、凸版印刷、フレキソ印刷、オフセット印刷、グラビア印刷、インクジェット等を用いることができる。
第２の遮光層１４には黒色インキを用いるのが望ましいが、遮光効果があれば黒色インキに限らない。厚みに制限は無いが、５μｍ〜３０μｍにすると遮光効果が出やすい。
第２の遮光層１４の全光線透過率は２０％以下であることが望ましい。第２の遮光層１４の全光線透過率が２０％より大きい場合、第３の反射層１３を透過した光が直接視認されてしまい、第２の遮光層１４の開口部を透過する光とのコントラストが低下して、第２の加飾層１５、透明加飾層１６を通してみえる絵柄を美しく表示できないためである。
光源６が点灯した際には第２の拡散層３２から第３の反射層１３へ進入した光が第３の反射層１３で概ね反射、吸収されるが、反射されなかった光が第２の遮光層１４に進入する。第２の遮光層１４はその光を遮光することで、第１の領域１の間接光と第３の領域３の境界部分のコントラストを高めて立体感を出し、また第３の反射層１３の開口部を抜けて第２の加飾層１５と透明加飾層１６を透過する光との輝度差を出すことで第３の領域の絵柄を表現できる。
【００５７】
第２の拡散層３２（第２の拡散層３２がない場合は支持体８）の観察者６側の面のうち第３の反射層１３の開口部に相当する面、及び第２の遮光層１４の観察者６側の面に積層された第２の加飾層１５が、第３の領域全域に亘って配置される。
第２の加飾層１５はスクリーン印刷によって設けることができる。特にスクリーン印刷に限定することなく、凸版印刷、フレキソ印刷、オフセット印刷、グラビア印刷、インクジェット等を用いることができる。
第２の加飾層１５には灰色インキを用いるのが望ましいが、半透過性であれば灰色インキに限らない。厚みに制限は無いが、５μｍ〜３０μｍにすると半透過性が出やすい。
また、第２の加飾層１５の全光線透過率は４％以上４０％以下であることが望ましい。
第２の加飾層１５の全光線透過率が４％未満の場合、第２の遮光層１４の開口部を抜ける光が視認できず、光源点灯時に第３の領域３の絵柄が視認できないという弊害があるからである。一方、第２の加飾層１５の全光線透過率が４０％より大きい場合、光源非点灯時に第２の遮光層１４の開口部１４を隠蔽することができず、光源の点灯時、非点灯時の第３の領域３の絵柄の違いを表現することができないという弊害があるからである。
第２の加飾層１５は光源６の非点灯時には第３の反射層１３及び第２の遮光層１４とその開口部を隠蔽し、観察者から第三の加飾層３は第２の加飾層１５及び透明加飾層１６だけで構成されているように視認される。一方、光源６の点灯時に第２の加飾層１５は第３の反射層１３及び第２の遮光層１４の開口部を抜ける光を透過させて透明加飾層１６に入射させることにより、非点灯時と別の美しい意匠性を表現することができる。
【００５８】
第２の加飾層１５の観察者６側の面にのうち第３の反射層１３の開口部に略対応する位置に透明加飾層１６が積層される。
透明加飾層１６はスクリーン印刷によって設けることができる。特にスクリーン印刷に限定することなく、凸版印刷、フレキソ印刷、オフセット印刷、グラビア印刷、インクジェット等を用いることができる。
透明加飾層１６には透明インキを用いるのが望ましいが、光透過性があれば透明インキに限らない。厚みに制限は無いが、５μｍ〜３０μｍにすると観察者から視認しやすい。
また、透明加飾層１６の全光線透過率は８０％以上であることが望ましい。
透明加飾層１６の全光線透過率が８０％未満である場合、光源点灯時の第３の領域３の輝度が低下し、視認を妨げてしますという弊害があるからである。
透明加飾層１６は光源６の非点灯時においては第２の加飾層１５の表面で絵柄として観察され、光源６の点灯時においては第３の反射層１３及び第２の遮光層１４の開口部を抜け、第２の加飾層１５を透過した光を透過させて絵柄として観察される。
透明加飾層１６はデザイン上必要があれば設けることができ、透明加飾層１６が無くても情報表示パネル５における他の機能には影響がない。
【００５９】
次に支持体８の光源６側の積層構造について詳細に説明する。
支持体８の光源６側の面のうち第１の領域１に第１の反射層２１が配置される。また、支持体８の光源６側の面のうち、第３の領域３における第３の反射層１３の開口部に対応する位置に第４の反射層２２が配置される。
第１の反射層２１及び第４の反射層２２はスクリーン印刷によって設けることができる。特にスクリーン印刷に限定することなく、凸版印刷、フレキソ印刷、オフセット印刷、グラビア印刷、インクジェット等を用いることができる。
第１の反射層２１及び第４の反射層２２には白色インキを用いるのが望ましいが、光の反射効果、透過効果があれば白色インキに限らない。厚みに制限は無いが、５μｍ〜３０μｍにすると反射効果が出やすい。
また、第１の反射層２１及び第４の反射層２２における３８０〜７８０ｎｍの光線の反射率は２０％以上であることが望ましい。
第１の反射層２１及び第４の反射層２２における反射率が２０％未満であった場合に、第１の反射層２１及び第４の反射層２２で反射される間接光の輝度が低下し、立体感が損なわれるという弊害があるからである。
光源６が点灯した際には第２の反射層１１と第３の反射層１３で反射した光及び支持体８と第２の拡散層３２で拡散した光が第１の反射層２１に入射後に反射され、観察者から間接光として視認される。これにより、第１の領域１と第２の領域２の境界及び第１の領域１と第３の領域３の境界において立体感を感じさせる効果がある。
【００６０】
第１の反射層２１及び第４の反射層２２の光源側の面に第１の遮光層２３が積層される。
第１の遮光層２３はスクリーン印刷によって設けることができる。特にスクリーン印刷に限定することなく、凸版印刷、フレキソ印刷、オフセット印刷、グラビア印刷、インクジェット等を用いることができる。
第１の遮光層２３には黒色インキを用いるのが望ましいが、遮光効果があれば黒色インキに限らない。厚みに制限は無いが、５μｍ〜３０μｍにすると遮光効果が出やすい。
第１の遮光層２３の全光線透過率は２０％以下であることが望ましい。第１の遮光層２３の全光線透過率が２０％より大きい場合、第１の遮光層２３の入射光を遮光できず、第１の領域及び第３の反射層の開口部において直接光が視認されるために間接光の視認性が低下し立体感が損なわれるという弊害があるからである。
光源６が点灯した際、第１の遮光層２３で第１の反射層２１へ向かう直接光は遮光される。それにより、他方の面側から第１の反射層２１に入射して透過する光が無くなるため、第１の領域１における間接光の視認性が高まり、第１の領域１と第２の領域２の境界及び第１の領域１と第３の領域３の境界における立体感を高める効果がある。
【００６１】
支持体８の光源６側の面のうち、第１の反射層２１及び第４の反射層２２が設けられていない面に光透過性着色層２４を設ける。特に第１の反射層２１及び第４の反射層２２が設けられていない面にだけ限定することはなく、第２の遮光層２３の光源６側の面にも積層されてもかまわない。
光透過性着色層２４はスクリーン印刷によって設けることができる。特にスクリーン印刷に限定することなく、凸版印刷、フレキソ印刷、オフセット印刷、グラビア印刷、インクジェット等を用いることができる。
光透過性着色層２４には光透過性のある有彩色のインキが用いられるのが望ましいが、光透過性のある有彩色の層を設けられるのであればこれに限らない。
また、光透過性着色層２４は全光線透過率が２０％以上であることが望ましい。光透過性着色層２４の全光線透過率が２０％未満の場合、第２の反射層１１及び第３の反射層１３に入射して反射され第１の領域で視認される間接光の輝度が低くなることから立体感が損なわれるという弊害があるからである。
光源６が点灯した際に光透過性着色層２４を透過した光が第２の反射層１１と第３の反射層１３で反射され、さらに支持体８と第２の拡散層３２で拡散されて第１の反射層２１に入射した後に反射され、観察者から間接光として視認されるため、間接光は光透過性着色層２４の色に依存する。光透過性着色層２４を任意の色にすることにより、文字・絵柄等が美しく表示される。
【００６２】
また、第２の領域２に文字等意匠形状が設けられる場合、光透過性着色層２４の文字等意匠形状に対応する部分よりやや大きい領域に開口部を設けることができる。光透過性着色層２４に開口部を設けると、光源６の点灯時に直接光が光透過性着色層２４を通らないため、観察者から文字等意匠形状が第２の反射層に依存する白色の直接光として視認される。ここで、光透過性着色層２４の開口部を文字等意匠形状よりやや大きくするのは、光透過性着色層９を透過した光が文字等意匠形状の端部へ干渉することを防ぐためである。
具体的には、光透過性着色層２４の開口部は、第１の加飾層１２の開口部の外周から０．０５０ｍｍ以上外側に外周を有し、光透過性着色層２４の開口部の外周が第２の領域２と第１の領域１との境界から１．０００ｍｍ以上離れているのが望ましい。
光透過性着色層２４の開口部が第１の加飾層１２の開口部の外周から０．０５０ｍｍ以上外側にない場合、第１の加飾層１２の開口部から視認される光が、白色光でなく光透過性着色層２４を透過した有彩色の光として視認されてしまうという弊害があるからである。なお、デザイン上、第１の加飾層１２の開口部から視認される光が有彩色でよい場合は、この限りではない。
また、光透過性着色層２４の開口部の外周が第２の領域と第１の領域の境界から１．０００ｍｍ以上離れていない場合、光透過性着色層２４の開口部から第２の反射層に入射して第１の領域に反射される間接光が有彩色でなくなるという弊害があるからである。
なお、この開口部は必ず設けなければならないわけではなく、デザイン上、光源点灯時の文字等意匠形状が光透過性着色層２４の色に依存する必要があるのであれば開口部を設ける必要はない。
【００６３】
光源６からの光はシート４の入射面より光透過性着色層２４に入射する。光透過性着色層２４を透過した光は第２の領域２及び第４の反射層２２の開口部から支持体８及び第２の拡散層３２を通って第２の反射層１１及び第３の反射層１３に入射する。この際に支持体８に拡散層を含んでいれば支持体８の透過光の一部が拡散されて第１の反射層２１、第４の反射層２２に入射する。また、第２の拡散層３２でも透過光の一部が拡散されて支持体８を再度透過して第１の反射層２１、第４の反射層２２に入射する。一方、第２の反射層１１及び第３の反射層１３の入射光はそこで反射されて第１の反射層２１、第４の反射層２２に入射する。第１の反射層２１、第４の反射層２２に入射した光はそこで反射されて第１の領域１から間接光として観察される。この時、第２の領域２の直接光は第１の加飾層１２で遮光され、第３の領域３の第１の領域１との境界の直接光は第２の遮光層１４で遮光されるために、第１の領域１の間接光の輝度と第２の領域２と第３の領域３の輝度の差が出る。それにより、第１の領域１と第２の領域２の境界及び第１の領域１と第３の領域３の境界の立体感を出すことができる。
前述の第４の反射層２２の反射光は、第３の反射層１３及び第２の遮光層１４の開口部を抜けて第２の加飾層１５と透明加飾層１６を透過して観察者７に視認される。光源６からの直接光は第１の遮光層２３及び第２の遮光層１４により遮光されるので、この明暗により第３の領域３の絵柄が表現される。
【００６４】
図２は、本発明の第２の実施形態に係る情報表示パネル５用の積層シート４をシート延在方向に垂直な面で切った断面図である。（Ａ）は積層の順序をわかりやすくするために各層を分離してあらわしたものであり、（Ｂ）は実際に積層された状態を表したものである。
図２に示すように、積層シート４は、シートの厚さ方向からみて、第１の領域１と、第１の領域１に隣接し且つ互いに離れた、第２の領域２、第３の領域３に分かれている。
積層シート４の延在面上における第１乃至第３の領域の形状により絵柄等の意匠形状が構成されている。
なお、第２、第３の領域と離れた他の領域がさらに設けられていても構わない。その場合、第１の領域は、さらに設けた領域とも隣接する配置となる。
図２において、観察者７は光透過性の支持体８の一方の面側から目視し、光源６は支持体８の他方の面側に設置される。
【００６５】
支持体８の観察者６側の面のうち第１の領域１に、第１の拡散層３１、第４の加飾層１７が順に積層されている。
また、支持体８の観察者６側の面のうち第２の領域２に、第２の拡散層３２、第２の反射層１１、第２の加飾層１２が順に積層されている。
さらに、支持体８の観察者６側の面のうち第３の領域３に、第２の拡散層３２、第３の反射層１３、第２の遮光層１４、第２の加飾層１５、透明加飾層１６が順に積層されている。
支持体８の光源６側の面のうち第１の領域１に、第１の反射層２１、光透過性着色層２４、第１の遮光層２３が順に積層されている。
また、支持体８の光源６側の面のうち第２の領域２に、光透過性着色層２４が設けられている。
さらに、支持体８の光源６側の面のうち第３の領域３に、第４の反射層２２、光透過性着色層２４、第１の遮光層２３が順に積層されている。
【００６６】
支持体８の構成、材料、作成方法、効果は、第１の実施形態の場合と同様である。
【００６７】
また、支持体８の観察者７側の積層構造は前述した第１の実施形態と同様である。
【００６８】
支持体８の光源６側の面のうち第１の領域１に第１の反射層２１が配置される。また、支持体８の光源６側の面のうち、第３の領域３における第３の反射層１３の開口部に対応する位置に第４の反射層２２が配置される。
第１の反射層２１及び第４の反射層２２の材料、作成方法、効果は、前述した第１の実施形態の場合と同様である。
【００６９】
支持体８の光源６側の面のうち、第１の反射層２１及び第４の反射層２２が設けられていない面に光透過性着色層２４を設ける。特に第１の反射層２１及び第４の反射層２２が設けられていない面にだけ限定することはなく、第１の反射層２１及び第４の反射層２２の光源６側の面にも積層されてもかまわない。
光透過性着色層２４の材料、作成方法、効果は、前述した第１の実施形態の場合と同様である。
【００７０】
光透過性着色層２４が配置された後に、第１の反射層２１及び第４の反射層２２に対応する位置に第１の遮光層２３が積層される。
第１の遮光層２３の材料、作成方法、効果は、前述した第１の実施形態の場合と同様である。
【００７１】
光源６からの光はシート４の入射面より第１の遮光層２３の開口部を通り光透過性着色層２４に入射する。光透過性着色層２４を透過した光は第２の領域２及び第４の反射層２２の開口部から支持体８及び第２の拡散層３２を通って第２の反射層１１及び第３の反射層１３に入射する。この際に支持体８に拡散層を含んでいれば支持体８の透過光の一部が拡散されて第１の反射層２１、第４の反射層２２に入射する。また、第２の拡散層３２でも透過光の一部が拡散されて支持体８を再度透過して第１の反射層２１、第４の反射層２２に入射する。一方、第２の反射層１１及び第３の反射層１３の入射光はそこで反射されて第１の反射層２１、第４の反射層２２に入射する。第１の反射層２１、第４の反射層２２に入射した光はそこで反射されて第１の領域１から間接光として観察される。この時、第２の領域２の直接光は第１の加飾層１２で遮光され、第３の領域３の第１の領域１との境界の直接光は第２の遮光層１４で遮光されるために、第１の領域１の間接光の輝度と第２の領域２と第３の領域３の輝度の差が出る。それにより、第１の領域１と第２の領域２の境界及び第１の領域１と第３の領域３の境界の立体感を出すことができる。
前述の、第４の反射層２２の反射光は第３の反射層１３及び第２の遮光層１４の開口部を抜けて第２の加飾層１５と透明加飾層１６を透過して観察者７に視認される。光源６からの直接光は第１の遮光層２３及び第２の遮光層１４により遮光されるので、この明暗により第３の領域３の絵柄が表現される。
【００７２】
図３は、本発明の第３の実施形態に係る情報表示パネル５用の積層シート４をシート延在方向に垂直な面で切った断面図である。（Ａ）は積層の順序をわかりやすくするために各層を分離してあらわしたものであり、（Ｂ）は実際に積層された状態を表したものである。
図３に示すように、積層シート４は、シートの厚さ方向からみて、第１の領域１と、第１の領域１に隣接し且つ互いに離れた、第２の領域２、第３の領域３に分かれている。
積層シート４の延在面上における第１乃至第３の領域の形状により絵柄等の意匠形状が構成されている。
なお、第２、第３の領域と離れた他の領域がさらに設けられていても構わない。その場合、第１の領域は、さらに設けた領域とも隣接する配置となる。
図３において、観察者７は光透過性の支持体８の一方の面側から目視し、光源６は支持体８の他方の面側に設置される。
【００７３】
支持体８の観察者６側の面のうち第１の領域１に、第１の拡散層３１、第４の加飾層１７が順に積層されている。
また、支持体８の観察者６側の面のうち第２の領域２に、第２の拡散層３２、第２の反射層１１、第２の加飾層１２が順に積層されている。
さらに、支持体８の観察者６側の面のうち第３の領域３に、第２の拡散層３２、第３の反射層１３、第２の加飾層１５、第２の遮光層１４、透明加飾層１６が順に積層されている。
【００７４】
支持体８の光源６側の面のうち第１の領域１に、第１の反射層２１、第１の遮光層２３、光透過性着色層２４が順に積層されている。
また、支持体８の光源６側の面のうち第２の領域２及び第３の領域に、光透過性着色層２４が設けられている。
【００７５】
支持体８の構成、材料、作成方法、効果は、第１の実施形態の場合と同様である。
【００７６】
また、支持体８の観察者７側の積層構造のうち、第１の領域、第２の領域の構造は前述した第１の実施形態と同様である。
【００７７】
支持体８の観察者６側の面のうち第３の領域３に第２の拡散層３２が配置される。
第２の拡散層３２の材料、作成方法は、前述した第１の実施形態の場合と同様である。
【００７８】
第２の拡散層３２（第２の拡散層３２がない場合は支持体８）の観察者６側の面のうち第３の領域３全域に第３の反射層１３が配置される。
第３の反射層１３の材料、作成方法は、前述した第１の実施形態の場合と同様である。
ここで、第３の反射層１３における３８０〜７８０ｎｍの光線の反射率は６０％以上であり、第３の反射層１３の全光線透過率は５％以上４０％以下であることが望ましい。
第３の反射層１３の反射率が６０％未満であった場合、第３の反射層１３で反射される間接光の輝度が低下し、第１の領域１と第２の領域２の境界における立体感が損なわれるからである。また、第３の反射層１３の全光線透過率が５％未満であると、第２の遮光層１４の開口部を抜けて透明加飾層１６を透過して視認される光の輝度が低下して第３の領域３の絵柄を美しく表示できないからである。
一方、全光線透過率が４０％以上であると反射率が低下して、前述のように間接光の輝度低下による第１の領域と第２の領域の境界における立体感の低下が起こるためである。
光源６が点灯した際には第３の反射層１３で反射した光が第１の領域１の第１の反射層２１に入射し、観察者７からは間接光として視認される。この時、第３の反射層１３の幅が大きい方が第３の反射層１３で反射されて第１の領域で間接光として観察される光が多く、第１の領域１と第３の領域３の境界における立体感が高まる。
【００７９】
第３の反射層１３の観察者６側の面に第２の加飾層１５が積層される。
第２の加飾層１５の材料、作成方法は、前述した第１の実施形態の場合と同様である。
光源６の非点灯時には外光が透明加飾層１６と第２の遮光層１４の開口部を通って第２の加飾層１５で反射し、観察者７からは第２の加飾層１５の色が視認される。
一方、光源６の点灯時に透明加飾層１６が積層された第２の遮光層１４の開口部では、第２の加飾層１５が半透過性であるため、光透過性着色層２４を透過した有彩色の光が観察され、非点灯時と別の美しい意匠性を表現することができる。第２の加飾層１５がないと光源６の非点灯時に第３の反射層１３を通して光透過性着色層２４の有彩色が見えてしまうため、光源６の点灯時との意匠性の違いを表現できない。
【００８０】
第２の加飾層１５の観察者７側の面に開口部を持つ第２の遮光層１４が積層される。
第２の遮光層１４の材料、作成方法は、前述した第１の実施形態の場合と同様である。
光源６が点灯した際には第２の加飾層１５を透過した光を遮光して第３の領域３における絵柄を表す。さらに、第１の領域１との境界において遮光するため、第１の領域１で視認される間接光とのコントラストを高めて立体感を高めることができる。
【００８１】
第２の遮光層１４の配置後に第３の反射層１３の開口部に対応する位置に透明加飾層１６が積層される。
透明加飾層１６の材料、作成方法は、前述した第１の実施形態の場合と同様である。
透明加飾層１６は光源６の非点灯時においては第３の領域３の最表面で絵柄として観察され、光源６の点灯時においては第３の反射層１３の開口部を抜ける光を透過させて第３の反射層１３とともに絵柄として観察者に視認させる。
透明加飾層１６はデザイン上必要があれば設けることができ、透明加飾層１６が無くても情報表示パネル５における他の機能には影響がない。
【００８２】
支持体８の光源６側の面のうち、第１の領域１に第１の反射層２１が配置される。
第１の反射層２１の材料、作成方法、効果は、前述した第１の実施形態の場合と同様である。
【００８３】
第１の反射層２１の光源６側の面に第１の遮光層２３が積層される。
第１の遮光層２３の材料、作成方法、効果は、前述した図１の場合と同様である。
【００８４】
支持体８の光源６側の面のうち、第２の領域及び第３の領域に光透過性着色層２４を設ける。特に第２の領域及び第３の領域だけ限定することはなく、第１の遮光層２３に積層されてもかまわない。
光透過性着色層２４の材料、作成方法、効果は、前述した図１の場合と同様である。
【００８５】
光源６からの光はシート４の入射面より光透過性着色層２４に入射する。光透過性着色層２４を透過した光は第１の遮光層２３及び第１の反射層２１の開口部から支持体８及び第２の拡散層３２を通って第２の反射層１１及び第３の反射層１３に入射する。この際に支持体８に拡散層を含んでいれば支持体８の透過光の一部が拡散されて第１の反射層２１に入射する。また、第２の拡散層３２でも透過光の一部が拡散されて支持体８を再度透過して第１の反射層２１に入射する。一方、第２の反射層１１及び第３の反射層１３の入射光はそこで反射されて第１の反射層２１に入射する。第１の反射層２１に入射した光はそこで反射されて第１の領域１から間接光として観察される。この時、第２の領域２の直接光は第１の加飾層１２で遮光され、第３の領域３の第１の領域１との境界の直接光は第２の遮光層１４で遮光されるために、第１の領域１の間接光の輝度と第２の領域２と第３の領域３の輝度の差が出る。それにより、第１の領域１と第２の領域２の境界及び第１の領域１と第３の領域３の境界の立体感を出すことができる。
また、第３の領域３において第３の反射層１３と第２の加飾層１５を透過した直接光の一部は第２の遮光層１４の開口部を抜け、透明加飾層１６を透過して美しい絵柄として視認される。
【００８６】
図４は、本発明の第４の実施形態に係る情報表示パネル５用の積層シート４をシート延在方向に垂直な面で切った断面図である。（Ａ）は積層の順序をわかりやすくするために各層を分離してあらわしたものであり、（Ｂ）は実際に積層された状態を表したものである。
図４に示すように、積層シート４は、シートの厚さ方向からみて、第１の領域１と、第１の領域１に隣接し且つ互いに離れた、第２の領域２、第３の領域３に分かれている。
積層シート４の延在面上における第１乃至第３の領域の形状により絵柄等の意匠形状が構成されている。
なお、第２、第３の領域と離れた他の領域がさらに設けられていても構わない。その場合、第１の領域は、さらに設けた領域とも隣接する配置となる。
図４において、観察者７は光透過性の支持体８の一方の面側から目視し、光源６は支持体８の他方の面側に設置される。
【００８７】
支持体８の観察者６側の面のうち第１の領域１に、第１の拡散層３１、第４の加飾層１７が順に積層されている。
また、支持体８の観察者６側の面のうち第２の領域２に、第２の拡散層３２、第２の反射層１１、第２の加飾層１２が順に積層されている。
さらに、支持体８の観察者６側の面のうち第３の領域３に、第２の拡散層３２、第３の反射層１３、第２の加飾層１５、第２の遮光層１４、透明加飾層１６が順に積層されている。
【００８８】
支持体８の光源６側の面のうち第１の領域１に、第１の反射層２１、光透過性着色層２４、第１の遮光層２３が順に積層されている。
また、支持体８の光源６側の面のうち第２の領域２及び第３の領域に、光透過性着色層２４が設けられている。
【００８９】
支持体８の構成、材料、作成方法、効果は、第１の実施形態の場合と同様である。
【００９０】
また、支持体８の観察者７側の積層構造は前述した第３の実施形態と同様である。
【００９１】
支持体８の光源６側の面のうち、第１の領域１に第１の反射層２１が配置される。
第１の反射層２１の材料、作成方法、効果は、前述した第１の実施形態の場合と同様である。
【００９２】
支持体８の光源６側の面のうち、第２の領域及び第３の領域に光透過性着色層２４を設ける。特に第２の領域及び第３の領域だけ限定することはなく、第１の反射層２１に積層されてもかまわない。
光透過性着色層２４の材料、作成方法、効果は、前述した第１の実施形態の場合と同様である。
【００９３】
第１の反射層２１の光源６側の面に第１の遮光層２３が積層される。
第１の遮光層２３の材料、作成方法、効果は、前述した図１の場合と同様である。
【００９４】
支持体８の光源６側の面のうち、第２の領域及び第３の領域に光透過性着色層２４を設ける。特に第２の領域及び第３の領域だけ限定することはなく、第１の遮光層２３に積層されてもかまわない。
光透過性着色層２４の材料、作成方法、効果は、前述した図１の場合と同様である。
支持体８の他方の面側の第１の領域１に第１の反射層２１が配置される。
第１の反射層２１の材料、作成方法、効果は、前述した第１の実施形態の場合の場合と同様である。
【００９５】
支持体８の光源６側の面に第１の反射層２１の開口部に光透過性着色層２４を設ける。特に第三の加飾層２１の開口部だけ限定することはなく、第三の加飾層２１に積層されてもかまわない。
光透過性着色層２４の材料、作成方法、効果は、前述した図１の場合と同様である。
【００９６】
光透過性着色層２４が配置された後に、第１の反射層２１に対応する位置に第１の遮光層２３が積層される。
第１の遮光層２３の材料、作成方法、効果は、前述した第１の実施形態の場合と同様である。
【００９７】
光源６からの光はシート４の入射面より第１の遮光層２３の開口部を通って光透過性着色層２４に入射する。光透過性着色層２４を透過した光は第１の反射層２１の開口部から支持体８及び第２の拡散層３２を通って第２の反射層１１及び第３の反射層１３に入射する。この際に支持体８に拡散層を含んでいれば支持体８の透過光の一部が拡散されて第１の反射層２１に入射する。また、第２の拡散層３２でも透過光の一部が拡散されて支持体８を再度透過して第１の反射層２１に入射する。一方、第２の反射層１１及び第３の反射層１３の入射光はそこで反射されて第１の反射層２１に入射する。第１の反射層２１に入射した光はそこで反射されて第１の領域１から間接光として観察される。この時、第２の領域２の直接光は第１の加飾層１２で遮光され、第３の領域３の第１の領域１との境界の直接光は第２の遮光層１４で遮光されるために、第１の領域１の間接光の輝度と第２の領域２と第３の領域３の輝度の差が出る。それにより、第１の領域１と第２の領域２の境界及び第１の領域１と第３の領域３の境界の立体感を出すことができる。
また、第３の領域３において第３の反射層１３と第２の加飾層１５を透過した直接光の一部は第２の遮光層１４の開口部を抜け、透明加飾層１６を透過して美しい絵柄として視認される。
【００９８】
本発明に係る情報表示パネル５は、前述した積層シート４と光源６を少なくとも備える。
光源６は、例えば、ＬＥＤ光源等のエッジライト式光源と導光板からなる面光源が用いられる。
【００９９】
本発明に係る輸送機器は、例えば、自動車および飛行機等がある。輸送機器は、前述した情報表示パネル５を少なくとも具備しており、例えば、情報表示パネル５の観察者７側に樹脂製カバーを備えた形で、速度計測器の表示パネル等に使用される。輸送機器の構造は一般的に用いられるものである。
【実施例１】
【０１００】
本発明の第１の実施例について図１の構成に沿って具体的に説明する。
支持体８として厚さｄのポリカーボネートの一方の面側の第１の領域１にスクリーン印刷で透明インキの第１の拡散層３１が配置され、第１の領域１の一部に第４の加飾層１７が積層され、透明インキの第２の拡散層３２が第２の領域２及び第３の領域３に設けられ、白インキの第２の反射層１１が第２の領域２の第２の拡散層３２に重ねられ、黒インキの第１の加飾層１２が第２の反射層１１上に積層され、開口部を持つ白インキの第３の反射層１３が第３の領域３の第２の拡散層３２に積層され、黒インキの第２の遮光層１４が第３の反射層１３の上に積層され、灰色インキの第２の加飾層１５が第２の遮光層１４の配置後に第３の領域３の略全域に配置され、透明インキの透明加飾層１６が第２の加飾層１５の配置後に第３の領域３の第３の反射層１３の開口部に略対応する位置に積層される。
支持体８の他方の面側には白インキの第１の反射層２１が第１の領域１に設けられ、白インキの第４の反射層２２が第３の領域３の第３の反射層１３の開口部に設けられ、黒インキの第１の遮光層２３が第１の反射層２１及び第４の反射層２２の上に積層され、青インキの光透過性着色層２４が第１の遮光層２３が設けられた後から第１の領域１、第２の領域２及び第３の領域３に設けられている。
そして、本発明の情報表示パネル５の他方の面側に光源６となる１，０００ｃｄ/ｍ２のＬＥＤ光源を置き、非点灯時と点灯時に一方の面側の観察者７が目視した。
【０１０１】
表１に図１の構成で、支持体８の厚さｄを１ｍｍ、第３の領域３の最も狭い部分の幅ｗ３を４０ｍｍ、第２の遮光層１４の開口率ｐを０．５０、第１の領域１の最も広い部分の幅ｗ１と第２の領域２の最も狭い部分の幅ｗ２を変えた際のｗ２/ｗ１の計算結果及び光源６の非点灯時の色と点灯時の第１の領域１における色及び第１の領域１と第２の領域２の境界部分の立体感を示す。
【０１０２】
【表１】
0005600988.tif 000004
【０１０３】
なお、立体感は目視による官能評価であり、評価が３以上で合格とする。
【０１０４】
表１から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｗ２/ｗ１が０．１５以上である必要があることが確認できる。ｗ１/ｗ２が０．１５未満では第２の領域２が狭いために、第２の反射層１１で拡散反射され第１の領域１に向かう光の輝度が低くなってしまうためと推測される。
【０１０５】
表２に図１の構成で、支持体８の厚さｄを１ｍｍ、第２の領域２の最も狭い部分の幅ｗ２を２０ｍｍとし、第１の領域１の最も広い部分の幅ｗ１と第３の領域３の最も狭い部分の幅ｗ３及び第２の遮光層１４の開口率ｐを変えた際の式（７）で表わされるｋの計算結果及び光源６の非点灯時の色と点灯時の第１の領域１における色及び第１の領域１と第３の領域３の境界部分の立体感を示す。
【０１０６】
【数３】
0005600988.tif 000005
【０１０７】
【表２】
0005600988.tif 000006
【０１０８】
表２から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためには、式（７）で表わされるｋの値が０．１５以上である必要があることが確認できる。ｋが０．１５未満では第３の反射層１３の面積が狭いために、第３の反射層１３で拡散反射され第１の領域１に向かう光の輝度が低くなってしまうためと推測される。
【０１０９】
表３に図１の構成で、第１の領域１の最も広い部分の幅ｗ１と第２の領域２の最も狭い部分の幅ｗ２と第３の領域３の最も狭い部分の幅ｗ３及び第２の遮光層１４の開口率ｐにおいて、ｗ２/ｗ１が１であり、式（７）で表わされるｋの値が１であったときに、支持体８の厚さｄとｗ２を変えた際のｄ×ｗ２の計算値及び光源６の非点灯時の色と点灯時の第１の領域１における色及び第１の領域１と第２の領域２の境界部分の立体感を示す。なお、ｄは情報表示機器筺体内の空間的な設計上の制約を受けないようにするため、０．１ｍｍ〜５．００ｍｍの範囲にしている。
【０１１０】
【表３】
0005600988.tif 000007
【０１１１】
表３から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｄ×ｗ２が１．００以上である必要があることが確認できる。ｄ×ｗ２が１．００未満では第２の反射層１１で拡散反射された光が第２の領域２の支持体８で広がる範囲が狭く、第１の領域１に向かう光の輝度が低くなってしまうためと推測される。
【０１１２】
表４に図１の構成で、第１の領域１の最も広い部分の幅ｗ１と第２の領域２の最も狭い部分の幅ｗ２と第３の領域３の最も狭い部分の幅ｗ３及び第２の遮光層１４の開口率ｐにおいて、ｗ２/ｗ１が１であり、式（７）で表わされるｋの値が１であったときに、支持体８の厚さｄとｗ３及びｐを変えた際の式（８）のｈの計算値及び光源６の非点灯時の色と点灯時の第１の領域１における色及び第１の領域１と第３の領域３の境界部分の立体感を示す。なお、ｄは情報表示機器筺体内の空間的な設計上の制約を受けないようにするため、０．１ｍｍ〜５．００ｍｍの範囲にしている。
【０１１３】
【数４】
0005600988.tif 000008
【０１１４】
【表４】
0005600988.tif 000009
【０１１５】
表４から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためには式（８）で表わされるｈの値が１．００以上である必要があることが確認できる。ｈの値が１．００未満では第３の反射層１３で拡散反射された光が第３の領域３の支持体８で広がる範囲が狭く、第１の領域１に向かう光の輝度が低くなってしまうためと推測される。
【実施例２】
【０１１６】
本発明の第２の実施例について図２の構成に沿って具体的に説明する。
支持体８として厚さｄのポリカーボネートの一方の面側の第１の領域１にスクリーン印刷で透明インキの第１の拡散層３１が配置され、第１の領域１の一部に第４の加飾層１７が積層され、透明インキの第２の拡散層３２が第２の領域２及び第３の領域３に設けられ、白インキの第２の反射層１１が第２の領域２の第２の拡散層３２に重ねられ、黒インキの第１の加飾層１２が第２の反射層１１上に積層され、開口部を持つ白インキの第３の反射層１３が第３の領域３の第２の拡散層３２に積層され、黒インキの第２の遮光層１４が第３の反射層１３の上に積層され、灰色インキの第２の加飾層１５が第２の遮光層１４の配置後に第３の領域３の略全域に配置され、透明インキの透明加飾層１６が第２の加飾層１５の配置後に第３の領域３の第３の反射層１３の開口部に略対応する位置に積層される。
支持体８の他方の面側には白インキの第１の反射層２１が第１の領域１に設けられ、白インキの第４の反射層２２が第３の領域３の第３の反射層１３の開口部に設けられ、青インキの光透過性着色層２４が第１の反射層２１が設けられた後から第１の領域１、第２の領域２及び第３の領域３に配置されて、黒インキの第１の遮光層２３が光透過性着色層２４が配置された後に第１の反射層２１及び第４の反射層２２に対応する位置に積層されている。
そして、本発明の情報表示パネル５の他方の面側に光源６となる１，０００ｃｄ/ｍ２のＬＥＤ光源を置き、非点灯時と点灯時に一方の面側の観察者７が目視した。
【０１１７】
表５に図２の構成で、支持体８の厚さｄを１ｍｍ、第３の領域３の最も狭い部分の幅ｗ３を４０ｍｍ、第２の遮光層１４の開口率ｐを０．５０、第１の領域１の最も広い部分の幅ｗ１と第２の領域２の最も狭い部分の幅ｗ２を変えた際のｗ２/ｗ１の計算結果及び光源６の非点灯時の色と点灯時の第１の領域１における色及び第１の領域１と第２の領域２の境界部分の立体感を示す。
【０１１８】
【表５】
0005600988.tif 000010
【０１１９】
なお、立体感は目視による官能評価であり、評価が３以上で合格とする。
【０１２０】
表５から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｗ２/ｗ１が０．１５以上である必要があることが確認できる。ｗ１/ｗ２が０．１５未満では第２の領域２が狭いために、第２の反射層１１で拡散反射され第１の領域１に向かう光の輝度が低くなってしまうためと推測される。
【０１２１】
表６に図２の構成で、支持体８の厚さｄを１ｍｍ、第２の領域２の最も狭い部分の幅ｗ２を２０ｍｍとし、第１の領域１の最も広い部分の幅ｗ１と第３の領域３の最も狭い部分の幅ｗ３及び第２の遮光層１４の開口率ｐを変えた際の前述の式（７）のｋの計算結果及び光源６の非点灯時の色と点灯時の第１の領域１における色及び第１の領域１と第３の領域３の境界部分の立体感を示す。
【０１２２】
【表６】
0005600988.tif 000011
【０１２３】
表６から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためには前述の式（７）で表わされるｋの値が０．１５以上である必要があることが確認できる。ｋの値が０．１５未満では第３の反射層１３の面積が狭いために、第３の反射層１３で拡散反射され第１の領域１に向かう光の輝度が低くなってしまうためと推測される。
【０１２４】
表７に図２の構成で、第１の領域１の最も広い部分の幅ｗ１と第２の領域２の最も狭い部分の幅ｗ２と第３の領域３の最も狭い部分の幅ｗ３及び第２の遮光層１４の開口率ｐにおいて、ｗ２/ｗ１が１であり、式（７）で表わされるｋの値が１であったときに、支持体８の厚さｄとｗ２を変えた際のｄ×ｗ２の計算値及び光源６の非点灯時の色と点灯時の第１の領域１における色及び第１の領域１と第２の領域２の境界部分の立体感を示す。なお、ｄは情報表示機器筺体内の空間的な設計上の制約を受けないようにするため、０．１ｍｍ〜５．００ｍｍの範囲にしている。
【０１２５】
【表７】
0005600988.tif 000012
【０１２６】
表７から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｄ×ｗ２が１．００以上である必要があることが確認できる。ｄ×ｗ２が１．００未満では第２の反射層１１で拡散反射された光が第２の領域２の支持体８で広がる範囲が狭く、第１の領域１に向かう光の輝度が低くなってしまうためと推測される。
【０１２７】
表８に図２の構成で、第１の領域１の最も広い部分の幅ｗ１と第２の領域２の最も狭い部分の幅ｗ２と第３の領域３の最も狭い部分の幅ｗ３及び第２の遮光層１４の開口率ｐにおいて、ｗ２/ｗ１が１であり、式（７）のｋの値が１であったときに、支持体８の厚さｄとｗ３及びｐを変えた際の前述の式（８）のｈの計算値及び光源６の非点灯時の色と点灯時の第１の領域１における色及び第１の領域１と第３の領域３の境界部分の立体感を示す。なお、ｄは情報表示機器筺体内の空間的な設計上の制約を受けないようにするため、０．１ｍｍ〜５．００ｍｍの範囲にしている。
【０１２８】
【表８】
0005600988.tif 000013
【０１２９】
表８から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためには式（８）のｈの値が１．００以上である必要があることが確認できる。ｈの値が１．００未満では第３の反射層１３で拡散反射された光が第３の領域３の支持体８で広がる範囲が狭く、第１の領域１に向かう光の輝度が低くなってしまうためと推測される。
【０１３０】
実施例１の表１〜表４とそれに対応する実施例２の表５〜表８は同じ結果となっている。
これは光透過性着色層２４が図１のように第１の遮光層２３の後に積層されても、図２のように第１の反射層２１の後に積層されても、第１の遮光層２３の開口部に配置されるので効果が同じなのだと考えられる。
【実施例３】
【０１３１】
本発明の第３の実施例について図３の構成に沿って具体的に説明する。
支持体８として厚さｄのポリカーボネートの一方の面側の第１の領域１にスクリーン印刷で透明インキの第１の拡散層３１が配置され、第１の領域１の一部に第４の加飾層１７が積層され、透明インキの第２の拡散層３２が第２の領域２及び第３の領域３に設けられ、白インキの第２の反射層１１が第２の領域２の第２の拡散層３２に重ねられ、黒インキの第１の加飾層１２が第２の反射層１１上に積層され、白インキの第３の反射層１３が第３の領域３の第２の拡散層３２に積層され、灰色インキの第２の加飾層１５が第３の反射層１３の上に配置され、開口部を持つ黒インキの第２の遮光層１４が第２の加飾層１５の上に積層され、透明インキの透明加飾層１６が第２の遮光層１４の配置後に第３の領域３の第２の遮光層１４の開口部に略対応する位置に積層される。
支持体８の他方の面側には白インキの第１の反射層２１が第１の領域１に設けられ、黒インキの第１の遮光層２３が第１の反射層２１の上に積層され、青インキの光透過性着色層２４が第１の遮光層２３が設けられた後から第１の領域１、第２の領域２及び第３の領域３に設けられている。
そして、本発明の情報表示パネル５の他方の面側に光源６となる１，０００ｃｄ/ｍ２のＬＥＤ光源を置き、非点灯時と点灯時に一方の面側の観察者７が目視した。
【０１３２】
表９に図３の構成で、支持体８の厚さｄを１ｍｍ、第３の領域３の最も狭い部分の幅ｗ３を４０ｍｍ、第１の領域１の最も広い部分の幅ｗ１と第２の領域２の最も狭い部分の幅ｗ２を変えた際のｗ２/ｗ１の計算結果及び光源６の非点灯時の色と点灯時の第１の領域１における色及び第１の領域１と第２の領域２の境界部分の立体感を示す。
【０１３３】
【表９】
0005600988.tif 000014
【０１３４】
なお、立体感は目視による官能評価であり、評価が３以上で合格とする。
【０１３５】
表９から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｗ２/ｗ１が０．１５以上である必要があることが確認できる。ｗ２/ｗ１が０．１５未満では第２の領域２が狭いために、第２の反射層１１で拡散反射され第１の領域１に向かう光の輝度が低くなってしまうためと推測される。
【０１３６】
表１０に図３の構成で、支持体８の厚さｄを１ｍｍ、第２の領域２の最も狭い部分の幅ｗ２を２０ｍｍとし、第１の領域１の最も広い部分の幅ｗ１及び第３の領域３の最も狭い部分の幅ｗ３を変えた際のｗ３/ｗ１の計算結果及び光源６の非点灯時の色と点灯時の第１の領域１における色及び第１の領域１と第３の領域３の境界部分の立体感を示す。
【０１３７】
【表１０】
0005600988.tif 000015
【０１３８】
表１０から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｗ３/ｗ１が０．１５以上である必要があることが確認できる。ｗ３/ｗ１が０．１５未満では第３の反射層１３の幅が狭いために、第３の反射層１３で拡散反射され第１の領域１に向かう光の輝度が低くなってしまうためと推測される。
【０１３９】
表１１に図３の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体８の厚さｄとｗ２を変えた際のｄ×ｗ２の計算値及び光源６の非点灯時の色と点灯時の第１の領域１における色及び第１の領域１と第２の領域２の境界部分の立体感を示す。なお、ｄは情報表示機器筺体内の空間的な設計上の制約を受けないようにするため、０．１ｍｍ〜５．００ｍｍの範囲にしている。
【０１４０】
【表１１】
0005600988.tif 000016
【０１４１】
表１１から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｄ×ｗ２が１．００以上である必要があることが確認できる。ｄ×ｗ２が１．００未満では第２の反射層１１で拡散反射された光が第２の領域２の支持体８で広がる範囲が狭く、第１の領域１に向かう光の輝度が低くなってしまうためと推測される。
【０１４２】
表１２に図３の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体８の厚さｄとｗ３を変えた際のｄとｗ３の値及び光源６の非点灯時の色と点灯時の第１の領域１における色及び第１の領域１と第３の領域３の境界部分の立体感を示す。なお、ｄは情報表示機器筺体内の空間的な設計上の制約を受けないようにするため、０．１ｍｍ〜５．００ｍｍの範囲にしている。
【０１４３】
【表１２】
0005600988.tif 000017
【０１４４】
表１２から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｄ×ｗ３が５．００以上である必要があることが確認できる。ｄ×ｗ３が５．００未満では第３の反射層１３で拡散反射された光が第３の領域３の支持体８で広がる範囲が狭く、第１の領域１に向かう光の輝度が低くなってしまうためと推測される。
【実施例４】
【０１４５】
本発明の第４の実施例について図４の構成に沿って具体的に説明する。
支持体８として厚さｄのポリカーボネートの一方の面側の第１の領域１にスクリーン印刷で透明インキの第１の拡散層３１が配置され、第１の領域１の一部に第４の加飾層１７が積層され、透明インキの第２の拡散層３２が第２の領域２及び第３の領域３に設けられ、白インキの第２の反射層１１が第２の領域２の第２の拡散層３２に重ねられ、黒インキの第１の加飾層１２が第２の反射層１１上に積層され、白インキの第３の反射層１３が第３の領域３の第２の拡散層３２に積層され、灰色インキの第２の加飾層１５が第３の反射層１３の上に配置され、開口部を持つ黒インキの第２の遮光層１４が第２の加飾層１５の上に積層され、透明インキの透明加飾層１６が第２の遮光層１４の配置後に第３の領域３の第２の遮光層１４の開口部に略対応する位置に積層される。
支持体８の他方の面側には白インキの第１の反射層２１が第１の領域１に設けられ、青インキの光透過性着色層２４が第１の反射層２１が設けられた後から第１の領域１、第２の領域２及び第３の領域３に設けられて、黒インキの第１の遮光層２３が光透過性着色層２４が設けられた後から第１の反射層２１に対応する位置に積層され、
そして、本発明の情報表示パネル５の他方の面側に光源６となる１，０００ｃｄ/ｍ２のＬＥＤ光源を置き、非点灯時と点灯時に一方の面側の観察者７が目視した。
【０１４６】
表１３に図４の構成で、支持体８の厚さｄを１ｍｍ、第３の領域３の最も狭い部分の幅ｗ３を４０ｍｍ、第１の領域１の最も広い部分の幅ｗ１と第２の領域２の最も狭い部分の幅ｗ２を変えた際のｗ２/ｗ１の計算結果及び光源６の非点灯時の色と点灯時の第１の領域１における色及び第１の領域１と第２の領域２の境界部分の立体感を示す。
【０１４７】
【表１３】
0005600988.tif 000018
【０１４８】
なお、立体感は目視による官能評価であり、評価が３以上で合格とする。
【０１４９】
表１３から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｗ２/ｗ１が０．１５以上である必要があることが確認できる。ｗ２/ｗ１が０．１５未満では第２の領域２が狭いために、第２の反射層１１で拡散反射され第１の領域１に向かう光の輝度が低くなってしまうためと推測される。
【０１５０】
表１４に図４の構成で、支持体８の厚さｄを１ｍｍ、第２の領域２の最も狭い部分の幅ｗ２を２０ｍｍとし、第１の領域１の最も広い部分の幅ｗ１及び第３の領域３の最も狭い部分の幅ｗ３を変えた際のｗ３/ｗ１の計算結果及び光源６の非点灯時の色と点灯時の第１の領域１における色及び第１の領域１と第３の領域３の境界部分の立体感を示す。
【０１５１】
【表１４】
0005600988.tif 000019
【０１５２】
表１４から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｗ３/ｗ１が０．１５以上である必要があることが確認できる。ｗ３/ｗ１が０．１５未満では第３の反射層１３の幅が狭いために、第３の反射層１３で拡散反射され第１の領域１に向かう光の輝度が低くなってしまうためと推測される。
【０１５３】
表１５に図４の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体８の厚さｄとｗ２を変えた際のｄ×ｗ２の計算値及び光源６の非点灯時の色と点灯時の第１の領域１における色及び第１の領域１と第２の領域２の境界部分の立体感を示す。なお、ｄは情報表示機器筺体内の空間的な設計上の制約を受けないようにするため、０．１ｍｍ〜５．００ｍｍの範囲にしている。
【０１５４】
【表１５】
0005600988.tif 000020
【０１５５】
表１５から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｄ×ｗ２が１．００以上である必要があることが確認できる。ｄ×ｗ２が１．００未満では第２の反射層１１で拡散反射された光が第２の領域２の支持体８で広がる範囲が狭く、第１の領域１に向かう光の輝度が低くなってしまうためと推測される。
【０１５６】
表１６に図４の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体８の厚さｄとｗ３を変えた際のｄとｗ３の値及び光源６の非点灯時の色と点灯時の第１の領域１における色及び第１の領域１と第３の領域３の境界部分の立体感を示す。なお、ｄは情報表示機器筺体内の空間的な設計上の制約を受けないようにするため、０．１ｍｍ〜５．００ｍｍの範囲にしている。
【０１５７】
【表１６】
0005600988.tif 000021
【０１５８】
表１６から第１の領域１において、各条件で光源６の点灯時は青色が視認され、非点灯時の白色と異なることから、光源６の点灯、非点灯により色の変化を表現できていることがわかる。また、第１の領域１で十分な立体感を得るためにはｄ×ｗ３が５．００以上である必要があることが確認できる。ｄ×ｗ３が５．００未満では第３の反射層１３で拡散反射された光が第３の領域３の支持体８で広がる範囲が狭く、第１の領域１に向かう光の輝度が低くなってしまうためと推測される。
【０１５９】
実施例３の表９〜表１２とそれに対応する実施例４の表１３〜表１６は同じ結果となっている。これは光透過性着色層２４が図３のように第１の遮光層２３の後に積層されても、図４のように第１の反射層２１の後に積層されても、第１の遮光層２３の開口部に配置されるので効果が同じなのだと考えられる。
【０１６０】
前記実施例のシート４を用いた情報表示パネル５において、光源６を点灯させることにより、文字・絵柄等に相当する第１の領域１に立体感を生じさせるとともに、光源６の点灯時と非点灯時とに色変化をつけて文字・絵柄を美しく表現することができた。
【０１６１】
実施例１乃至４で作製した情報表示パネルを背面に光源を、前面の観察者側に樹脂製カバーを備えた輸送機器に用いた。
【符号の説明】
【０１６２】
１      第１の領域
２      第２の領域
３      第３の領域
４      シート
５      情報表示パネル
６      光源
７      観察者
８      支持体
１１    第２の反射層
１２    第１の加飾層
１３    第３の反射層
１４    第２の遮光層
１５    第２の加飾層
１６    透明加飾層
１７    第４の加飾層
２１    第１の反射層
２２    第４の反射層
２３    第１の遮光層
２４    光透過性着色層
３１    第１の拡散層
３２    第２の拡散層
【図１】
0005600988.tif 000024
【図２】
0005600988.tif 000025
【図３】
0005600988.tif 000026
【図４】
0005600988.tif 000027